【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
実物を模した模型を操作するユーザの動作を検出する動作検出装置と、前記動作検出装置と通信可能な移動通信端末とを有する動作検出システムであって、
ユーザの動作を定める第一の動作データと、前記実物の動作に対応した音声又は映像データとを関連付けて記憶する記憶部と、
前記模型を操作する前記ユーザの動作を示す第二の動作データを取得する取得部と、
前記第二の動作データを前記移動通信端末に送信する送信部と、
前記第一の動作データが定める動作と、前記送信部により送信された前記第二の動作データが示す動作とが、同じ動作を示すか否かを、前記第一の動作データと前記第二の動作データとの類似度に基づいて判定する判定部と、
前記判定部の結果に応じて、前記第一の動作データと関連付けられた、前記音声又は映像データを選択する選択部と、
前記選択部の選択した前記音声又は映像データを出力する出力部と、
を有する、動作検出システム。
【請求項２】
前記ユーザの新たな動作を定める第三の動作データに対応する、新たな音声又は映像データの指定を受け付ける受付部をさらに有し、
前記取得部は、前記第三の動作データを取得し、
前記送信部は、前記第三の動作データを前記移動通信端末に送信し、
前記記憶部は、前記第三の動作データと、前記新たな音声又は映像データとを関連付けて記憶する、
請求項１に記載の動作検出システム。
【請求項３】
前記動作検出装置は、前記取得部及び前記送信部を有する筐体と、前記筐体の相対する二側面に接続されたベルトを有する、
請求項１又は２に記載の動作検出システム。
【請求項４】
前記動作検出装置は、前記ベルトにより、前記ユーザの操作する模型又は前記ユーザの手首に装着される、
請求項３に記載の動作検出システム。
【請求項５】
前記記憶部は、前記第一の動作データに対して、複数の音声又は映像データとを関連付けて記憶しており、
前記選択部は、前記第一の動作データに関連付けられた複数の音声又は映像データのうち、前記出力部により既に出力された音声又は映像データについての出力履歴に応じて、前記音声又は映像データを選択する、
請求項１に記載の動作検出システム。
【請求項６】
筐体及びベルトを有し、実物を模した模型又は該模型を操作するユーザの手首に装着される動作検出装置であって、
前記筐体は、
前記模型を操作する前記ユーザの動作を示す動作データを取得する取得部と、
前記動作データを移動通信端末に送信する送信部と、
を有し、
前記移動通信端末において、受信された前記動作データの示す動作と、前記実物の動作に対応した音声又は映像データと関連付けられた動作データの定める動作とが、同じ動作を示すか否かを、受信された前記動作データと、前記音声又は映像データと関連付けられた前記動作データとの類似度に基づいて判定し、同じ動作を示すと判定された場合に、前記移動通信端末から前記音声又は映像データが出力される、
動作検出装置。
【請求項７】
実物を模した模型を操作するユーザの動作を検出する動作検出装置と通信可能な移動通信端末であって、
ユーザの動作を定める第一の動作データと、前記実物の動作に対応した音声又は映像データとを関連付けて記憶する記憶部と、
前記模型を操作する前記ユーザの動作を示す第二の動作データを前記動作検出装置から受信する受信部と、
前記第一の動作データの定める動作と、前記受信部にて受信した前記第二の動作データの示す動作とが、同じ動作を示すか否かを、前記第一の動作データと前記第二の動作データとの類似度に基づいて判定する判定部と、
前記判定部の結果に応じて、前記第一の動作データと関連付けられた、前記音声又は映像データを選択する選択部と、
前記選択部の選択した前記音声又は映像データを出力する出力部と、
を有する、移動通信端末。
【請求項８】
実物を模した模型を操作するユーザの動作を検出する動作検出装置と通信可能なコンピュータで実行されるプログラムであって、前記コンピュータに、
前記模型を操作する前記ユーザの動作を示す第一の動作データを前記動作検出装置から受信する受信段階と、
前記受信段階において受信した前記第一の動作データの示す動作と、記憶部に記憶され、前記実物の動作に対応した音声又は映像データと関連付けられた第二の動作データの定める動作とが、同じ動作を示すか否かを、受信した前記第一の動作データと、音声又は映像データと関連付けられた前記第二の動作データとの類似度に基づいて判定する判定段階と、
前記判定段階における判定の結果に応じて、前記音声又は映像データを選択する選択段階と、
前記選択段階において選択された前記音声又は映像データを出力する出力段階と、
を実行させる、プログラム。
【請求項９】
ユーザの動作を検出する動作検出装置と、前記動作検出装置と通信可能な移動通信端末と、を有する動作検出システムであって、
ユーザにより行われる所定の動作と、該所定の動作が行われる動作方向の範囲とを、音声又は映像データと関連付けて記憶する記憶部と、
前記動作検出装置において検出された検出データに基づいて、前記動作検出装置の所定の基準方向からの相対角度を算出する算出部と、
前記相対角度により特定される方向が前記動作方向の範囲に含まれ、かつ、前記検出データにより特定される動作が、前記所定の動作であった場合に、前記記憶部において前記所定の動作及び前記動作方向の範囲と関連付けて記憶された前記音声又は映像データを出力する出力部と
を有する、動作検出システム。
【請求項１０】
前記記憶部は、
ユーザにより行われる打楽器を叩く動作と、該動作が行われる動作方向の範囲である、複数の打楽器が配置される方向の範囲とを、該複数の打楽器それぞれを叩いた場合に発生する音声データと関連付けて記憶する、請求項９に記載の動作検出システム。
【請求項１１】
前記基準方向は、
前記複数の打楽器のうち、所定の打楽器を叩く動作を行った場合に、前記動作検出装置において検出された検出データに基づいて算出された方向である、請求項１０に記載の動作検出システム。
【請求項１２】
ユーザの動作を検出する動作検出装置と通信可能であり、ユーザにより行われる所定の動作と、該所定の動作が行われる動作方向の範囲とを、音声又は映像データと関連付けて記憶する移動通信端末のコンピュータで実行されるプログラムであって、前記コンピュータに、
前記動作検出装置において検出された検出データに基づいて、前記動作検出装置の所定の基準方向からの相対角度を算出する算出段階と、
前記相対角度により特定される方向が前記動作方向の範囲に含まれ、かつ、前記検出データにより特定される動作が、前記所定の動作であった場合に、前記所定の動作及び前記動作方向の範囲と関連付けて記憶された前記音声又は映像データを出力する出力段階と
を実行させる、プログラム。
【手続補正２】
【補正対象書類名】明細書
【補正対象項目名】０００９
【補正方法】変更
【補正の内容】
【０００９】
上述した課題を解決し目的を達成するため、本発明の一実施形態に係る動作検出システムは、以下のような構成を備える。即ち、
実物を模した模型を操作するユーザの動作を検出する動作検出装置と、前記動作検出装置と通信可能な移動通信端末とを有する動作検出システムであって、
ユーザの動作を定める第一の動作データと、前記実物の動作に対応した音声又は映像データとを関連付けて記憶する記憶部と、
前記模型を操作する前記ユーザの動作を示す第二の動作データを取得する取得部と、
前記第二の動作データを前記移動通信端末に送信する送信部と、
前記第一の動作データが定める動作と、前記送信部により送信された前記第二の動作データが示す動作とが、同じ動作を示すか否かを、前記第一の動作データと前記第二の動作データとの類似度に基づいて判定する判定部と、
前記判定部の結果に応じて、前記第一の動作データと関連付けられた、前記音声又は映像データを選択する選択部と、
前記選択部の選択した前記音声又は映像データを出力する出力部と、
を有する。
【手続補正３】
【補正対象書類名】明細書
【補正対象項目名】００１０
【補正方法】変更
【補正の内容】
【００１０】
また、本発明の一実施形態に係る動作検出装置は、以下のような構成を備える。即ち、
筐体及びベルトを有し、実物を模した模型又は該模型を操作するユーザの手首に装着される動作検出装置であって、
前記筐体は、
前記模型を操作する前記ユーザの動作を示す動作データを取得する取得部と、
前記動作データを移動通信端末に送信する送信部と、
を有し、
前記移動通信端末において、受信された前記動作データの示す動作と、前記実物の動作に対応した音声又は映像データと関連付けられた動作データの定める動作とが、同じ動作を示すか否かを、受信された前記動作データと、前記音声又は映像データと関連付けられた前記動作データとの類似度に基づいて判定し、同じ動作を示すと判定された場合に、前記移動通信端末から前記音声又は映像データが出力される。
【手続補正４】
【補正対象書類名】明細書
【補正対象項目名】００１１
【補正方法】変更
【補正の内容】
【００１１】
また、本発明の一実施形態に係る移動通信端末は、以下のような構成を備える。即ち、
実物を模した模型を操作するユーザの動作を検出する動作検出装置と通信可能な移動通信端末であって、
ユーザの動作を定める第一の動作データと、前記実物の動作に対応した音声又は映像データとを関連付けて記憶する記憶部と、
前記模型を操作する前記ユーザの動作を示す第二の動作データを前記動作検出装置から受信する受信部と、
前記第一の動作データの定める動作と、前記受信部にて受信した前記第二の動作データの示す動作とが、同じ動作を示すか否かを、前記第一の動作データと前記第二の動作データとの類似度に基づいて判定する判定部と、
前記判定部の結果に応じて、前記第一の動作データと関連付けられた、前記音声又は映像データを選択する選択部と、
前記選択部の選択した前記音声又は映像データを出力する出力部と、
を有する。
【手続補正５】
【補正対象書類名】明細書
【補正対象項目名】００１２
【補正方法】変更
【補正の内容】
【００１２】
また、本発明の一実施形態におけるプログラムは、
実物を模した模型を操作するユーザの動作を検出する動作検出装置と通信可能なコンピュータで実行されるプログラムであって、前記コンピュータに、
前記模型を操作する前記ユーザの動作を示す第一の動作データを前記動作検出装置から受信する受信段階と、
前記受信段階において受信した前記第一の動作データの示す動作と、記憶部に記憶され、前記実物の動作に対応した音声又は映像データと関連付けられた第二の動作データの定める動作とが、同じ動作を示すか否かを、受信した前記第一の動作データと、音声又は映像データと関連付けられた前記第二の動作データとの類似度に基づいて判定する判定段階と、
前記判定段階における判定の結果に応じて、前記音声又は映像データを選択する選択段階と、
前記選択段階において選択された前記音声又は映像データを出力する出力段階と、
を実行させる。